(57)【要約】【課題】簡単な構成で、光軸に対するレーザーダイオードの位置及び傾きを、正確且つ容易に調整することが可能な光ピックアップ装置を提供する。【解決手段】レーザーダイオード１は、ホルダー２中央に開けられた取付孔２ａに前方より圧入されている。ホルダー２の後面上下端中央には、凸部２ｂが突設している。ホルダー２の後方にはプレート３が配設されており、その上下端中央には切り欠き部３ａが設けられていて、ここに前記ホルダー２の凸部２ｂが嵌合して軸支されることにより、これを中心としてホルダー２が回動可能となる。さらに、プレート３の左右端中央には切り欠き部３ｂが設けられており、一方、プレート３の後方に位置するベース４の前面Ｆ左右端中央には、凸部４ａが突設していて、ここに前記プレート３の切り欠き部３ｂが嵌合して枢支されることにより、これを中心としてプレート３が回動可能となる。【選択図】図１
2007134020.tif 000002
【特許請求の範囲】
【請求項１】
光源としてのレーザーダイオードと、該レーザーダイオードを保持固定するホルダーと、該ホルダーを支持するプレートと、該プレートを支持するベースとを有し、該ベースには光軸上に並べられた複数の光学部品を有する光学系を備え、
前記ホルダーは、前記プレートに対して第１の軸を中心として回動する回転調整が可能であるとともに、該第１の軸方向にスライドする平行移動調整が可能であり、前記プレートは、前記ベースに対して前記第１の軸に垂直な第２の軸を中心として回動する回転調整が可能であるとともに、該第２の軸方向にスライドする平行移動調整が可能であるようにしてなり、
前記ホルダーより突設する凸部が前記プレートに設けた第１の切り欠き部に嵌合して軸支されることにより、前記ホルダーが前記第１の軸を中心として回動可能となっており、前記ベースより突設する凸部が前記プレートに設けた第２の切り欠き部に嵌合して軸支されることにより、前記プレートが前記第２の軸を中心として回動可能となっていて、
前記ホルダーより突設する凸部と前記プレートに設けた第１の切り欠き部との嵌合ガタを用いて前記ホルダーが前記第１の軸方向にスライド可能となっており、前記ベースより突設する凸部と前記プレートに設けた第２の切り欠き部との嵌合ガタを用いて前記プレートが前記第２の軸方向にスライド可能となっていることを特徴とする光ピックアップ装置。
【請求項２】
光源としてのレーザーダイオードと、該レーザーダイオードを保持固定するホルダーと、該ホルダーを支持するプレートと、該プレートを支持するベースとを有し、該ベースには光軸上に並べられた複数の光学部品を有する光学系を備え、
前記ホルダーは、前記プレートに対して第１の軸を中心として回動する回転調整が可能であり、前記プレートは、前記ベースに対して前記第１の軸に垂直な第２の軸を中心として回動する回転調整が可能であるとともに、前記第１及び第２の軸方向にスライドする平行移動調整が可能であるようにしてなり、
前記ホルダーより突設する回動軸が前記プレートの折り曲げ部に設けた軸孔に嵌合して軸支されることにより、前記ホルダーが前記第１の軸を中心として回動可能となっており、前記プレートより突設する凸部が前記ベースの前面に線接触することにより、前記プレートが前記第２の軸を中心として回動可能となっていて、
前記プレートより突設する凸部が前記ベースの前面に線接触しつつ前記第１及び第２の軸方向にスライド可能となっていることを特徴とする光ピックアップ装置。
【請求項３】
光源としてのレーザーダイオードと、該レーザーダイオードを保持固定するホルダーと、該ホルダーを支持するプレートと、該プレートを支持するベースとを有し、
前記ホルダーは、前記プレートに対して第１の軸を中心として回動する回転調整が可能であるとともに、該第１の軸方向にスライドする平行移動調整が可能であり、前記プレートは、前記ベースに対して前記第１の軸に垂直な第２の軸を中心として回動する回転調整が可能であるとともに、該第２の軸方向にスライドする平行移動調整が可能であるようにしてなることを特徴とする光ピックアップ装置。
【請求項４】
前記ホルダーより突設する凸部が前記プレートに設けた第１の切り欠き部に嵌合して軸支されることにより、前記ホルダーが前記第１の軸を中心として回動可能となっており、前記ベースより突設する凸部が前記プレートに設けた第２の切り欠き部に嵌合して軸支されることにより、前記プレートが前記第２の軸を中心として回動可能となっていることを特徴とする請求項３に記載の光ピックアップ装置。
【請求項５】
光源としてのレーザーダイオードと、該レーザーダイオードを保持固定するホルダーと、該ホルダーを支持するプレートと、該プレートを支持するベースとを有し、
前記ホルダーは、前記プレートに対して第１の軸を中心として回動する回転調整が可能であり、前記プレートは、前記ベースに対して前記第１の軸に垂直な第２の軸を中心として回動する回転調整が可能であるとともに、前記第１及び第２の軸方向にスライドする平行移動調整が可能であるようにしてなることを特徴とする光ピックアップ装置。
【請求項６】
前記ホルダーより突設する回動軸が前記プレートの折り曲げ部に設けた軸孔に嵌合して軸支されることにより、前記ホルダーが前記第１の軸を中心として回動可能となっており、前記プレートより突設する凸部が前記ベースの前面に線接触することにより、前記プレートが前記第２の軸を中心として回動可能となっていることを特徴とする請求項５に記載の光ピックアップ装置。
【発明の詳細な説明】
【技術分野】
【０００１】
本発明は、光ピックアップ装置に関するものであり、特に、組立時に光源としてのレーザーダイオードの射出方向の位置合わせ操作を容易に行うことのできる光ピックアップ装置に関するものである。
【背景技術】
【０００２】
ＣＤ，ＤＶＤ等の記録面を走査して記録や再生を行うための光ピックアップ装置においては、光軸上に並べられたコリメータレンズ，ビームスプリッター，対物レンズ，集光レンズ，受光素子等の複数種類の光学部品を有する光学系を備えている。そして、その組立時には、光源としてのレーザーダイオードの射出方向を、理想的に配置されている光軸に合わせ込むための位置調整作業が行われる。そして、従来より、このような位置調整作業の正確性や作業性を向上させることを意図した技術が種々提案されている。
【０００３】
図５〜図８は、従来の光ピックアップ装置におけるレーザーダイオードの取付構成の一例を示す斜視図であり、図５は正面側より見た組立図、図６はその分解図、図７は背面側より見た組立図、図８はその分解図である。各図に示すように、略円柱状のレーザーダイオード１０１は、左右方向に延在する略直方体状のホルダー１０２中央に開けられた取付孔１０２ａに前方より圧入され、後ろ向きに即ち装置内へレーザー光を射出する方向に保持固定されている。ホルダー１０２の上下面中央には、それぞれ回動軸１０２ｂが突設しており、後述するように、これを中心として回動可能となっている。
【０００４】
ホルダー１０２の後方には、左右方向に延在する略長板状のプレート１０３が配設されており、その上下端より折り曲げ部１０３ａがそれぞれ前方に延びていて、側面視略コの字形状となっている。そして、各折り曲げ部１０３ａ中央には軸孔１０３ａａが開けられており、ここに前記ホルダー１０２の回動軸１０２ｂがそれぞれ嵌合して軸支されることにより、これを中心としてホルダー１０２が回動可能となる。
【０００５】
さらに、プレート１０３の後面側にはフック１０３ｂが設けられており、これにより組立時にはプレート１０３をベース１０４の前部に仮止めすることが可能である。ちなみにプレート１０３の中心には、レーザーダイオード１０１からのレーザー光が通過する中心孔１０３ｃが開けられている。
【０００６】
なお、プレート１０３の後面はベース１０４の前面ｆと平面接触しており、左右方向（Ｘ軸方向）と上下方向（Ｙ軸方向）について、ＸＹ平面上のスライドが可能となっている。その他、レーザーダイオード１０１が固定されるホルダー１０２及び、光ピックアップ装置の複数の光学部品が取り付けられるベース１０４は、通常はダイキャスト等の成型品よりなる。但し、図５〜図８では複数の光学部品は図示していない。また、ホルダー１０２が回動可能に取り付けられるプレート１０３は、通常はＳＵＳ等の板金加工品よりなる。
【０００７】
さて、レーザーダイオードの位置調整について述べると、平行移動調整については、プレート１０３がその後面をベース１０４の前面ｆに平面接触させつつ、Ｘ軸方向及びＹ軸方向にスライドすることにより行われる。また、回転調整については、ホルダー１０２がその回動軸１０２ｂ（Ｙ軸）を中心としてθｙ方向に回動することにより行われる。このような位置調整は、図示しない調整治具を用いることにより行われ、調整後はホルダー１０２及びプレート１０３がベース１０４に対して接着により固定される。
【０００８】
その他、あおり手段として光源を保持し、光源の発行点を中心とする凹または凸の球面を有する光源保持部材と、これと嵌合する凸または凹の球面部と保持部材の一つの平面に沿う平面部とを有する球面座を具備したユニットを有する光ピックアップが、特許文献１に開示されている。
【０００９】
また、光源となるレーザーダイオードを取付台に対して前記レーザーダイオードの光軸と直角方向の２方向の位置および傾斜角度を調整可能に取り付けたものであって、レーザーダイオードの傾角調整などを、ねじとばね板とを組み合わせて行うようにした光ピックアップ装置が、特許文献２に開示されている。
【００１０】
また、ホログラムレーザー光学部品を保持する光学ハウジングと、前記ホログラムレーザーを保持固定するホルダーと、該ホルダに保持固定されたホログラムレーザーとを備え、ハウジングに球面を介してホログラムレーザーを保持させた状態で、ホログラムレーザーの傾角を調整するようにした光ピックアップが、特許文献３に開示されている。
【特許文献１】特開２００２−３４２９４５号公報
【特許文献２】特開２００２−１６６５９号公報
【特許文献３】特開２００３−１８７４６１号公報
【発明の開示】
【発明が解決しようとする課題】
【００１１】
しかしながら、上記図５〜図８に示したような従来の構成では、平行移動調整はＸ軸方向及びＹ軸方向の何れについても行うことができるが、回転調整はＹ軸を回転軸としたθｙ方向について行うことができるのみであり、Ｘ軸を回転軸としたθｘ方向の回転調整については行うことができない。
【００１２】
また、上記特許文献１や特許文献３に記載された構成のように、球面を摺動させることによってレーザーダイオードやホログラムレーザーの傾角を調整することにより、レーザーダイオードの基準面に対する放射角分布の中心の傾きを補正するという作業にあっては、レーザーダイオードが、一方向だけでなく全方位に対して回動される状況下での調整作業になるために、それだけ調整が困難である。しかも、レーザーダイオードやホログラムレーザーの傾角調整によってそれらの発光点の位置が変化することもあり得るので、光学部品が理想的に配置されている光軸に対する傾角調整作業が非常に煩雑になるという問題がある。
【００１３】
また、上記特許文献２に記載された構成のように、レーザーダイオードを保持させたホルダーを、板ばねを利用してベースに取り付ける作業では、ホルダーをベースに保持させながら板ばねをベースにねじ止めしたりする作業がきわめて煩わしいという問題がある。本発明は以上の問題に鑑みてなされたものであり、簡単な構成で、光学部品が理想的に配置されている光軸に対するレーザーダイオードの位置及び傾きを、正確且つ容易に調整することが可能な光ピックアップ装置を提供することを目的とする。
【課題を解決するための手段】
【００１４】
上記目的を達成するために、本発明では、光源としてのレーザーダイオードと、該レーザーダイオードを保持固定するホルダーと、該ホルダーを支持するプレートと、該プレートを支持するベースとを有し、前記ホルダーは、前記プレートに対して第１の軸を中心として回動する回転調整が可能であるとともに、該第１の軸方向にスライドする平行移動調整が可能であり、前記プレートは、前記ベースに対して前記第１の軸に垂直な第２の軸を中心として回動する回転調整が可能であるとともに、該第２の軸方向にスライドする平行移動調整が可能であるようにしてなることを特徴とする。
【００１５】
また、前記ホルダーより突設する凸部が前記プレートに設けた第１の切り欠き部に嵌合して軸支されることにより、前記ホルダーが前記第１の軸を中心として回動可能となっており、前記ベースより突設する凸部が前記プレートに設けた第２の切り欠き部に嵌合して軸支されることにより、前記プレートが前記第２の軸を中心として回動可能となっていることを特徴とする。
【００１６】
或いは、光源としてのレーザーダイオードと、該レーザーダイオードを保持固定するホルダーと、該ホルダーを支持するプレートと、該プレートを支持するベースとを有し、前記ホルダーは、前記プレートに対して第１の軸を中心として回動する回転調整が可能であり、前記プレートは、前記ベースに対して前記第１の軸に垂直な第２の軸を中心として回動する回転調整が可能であるとともに、前記第１及び第２の軸方向にスライドする平行移動調整が可能であるようにしてなることを特徴とする。
【００１７】
また、前記ホルダーより突設する回動軸が前記プレートの折り曲げ部に設けた軸孔に嵌合して軸支されることにより、前記ホルダーが前記第１の軸を中心として回動可能となっており、前記プレートより突設する凸部が前記ベースの前面に線接触することにより、前記プレートが前記第２の軸を中心として回動可能となっていることを特徴とする。
【発明の効果】
【００１８】
本発明によれば、簡単な構成で、光学部品が理想的に配置されている光軸に対するレーザーダイオードの位置及び傾きを、正確且つ容易に調整することが可能な光ピックアップ装置を提供することができる。
【発明を実施するための最良の形態】
【００１９】
以下、本発明の実施の形態について、図面を参照しながら説明する。
【実施例１】
【００２０】
図１，図２は、本発明の実施例１に係る光ピックアップ装置におけるレーザーダイオードの取付構成を示す斜視図であり、図１は正面側より見た分解図、図２は背面側より見た分解図である。各図に示すように、略円柱状のレーザーダイオード１は、左右方向に延在する略直方体状のホルダー２中央に開けられた取付孔２ａに前方より圧入され、後ろ向きに即ち装置内へレーザー光を射出する方向に保持固定されている。ホルダー２の後面上下端中央には、それぞれ半円柱状の凸部２ｂが突設しており、後述するように、これを中心として回動可能となっている。
【００２１】
ホルダー２の後方には、左右方向に延在する略長板状のプレート３が配設されており、その上下端中央にはそれぞれ矩形状の切り欠き部３ａが設けられていて、ここに前記ホルダー２の凸部２ｂがそれぞれ嵌合して軸支されることにより、これを中心としてホルダー２が回動可能となる。さらに、プレート３の左右端中央にはそれぞれ矩形状の切り欠き部３ｂが設けられており、一方、プレート３の後方に位置するベース４の前面Ｆ左右端中央には、それぞれ半円柱状の凸部４ａが突設していて、ここに前記プレート３の切り欠き部３ｂがそれぞれ嵌合して枢支されることにより、これを中心としてプレート３が回動可能となる。
【００２２】
ちなみにプレート３の中心には、レーザーダイオード１からのレーザー光が通過する中心孔３ｃが開けられている。なお、レーザーダイオード１が固定されるホルダー２、ホルダー２が回動可能に取り付けられるプレート３、及び光ピックアップ装置の複数の光学部品が取り付けられるベース４は、通常はダイキャスト等の成型品よりなる。但し、図１，図２では複数の光学部品は図示していない。
【００２３】
さて、レーザーダイオードの位置調整について述べると、ホルダー２は、その凸部２ｂ（Ｙ軸）を中心としてθｙ方向に回動することにより回転調整が行われ、凸部２ｂとプレート３の切り欠き部３ａとの嵌合ガタを用いてＹ軸方向にスライドすることにより平行移動調整が行われる。また、プレート３は、その切り欠き部３ｂ（Ｘ軸）を中心としてθｘ方向に回動することにより回転調整が行われ、切り欠き部３ｂとベース４の凸部４ａとの嵌合ガタによりＸ軸方向にスライドすることにより平行移動調整が行われる。但し、Ｘ軸方向とＹ軸方向が逆である構成であっても良い。このような位置調整は、図示しない調整治具を用いることにより行われ、調整後はホルダー２及びプレート３がベース４に対して接着により固定される。
【実施例２】
【００２４】
図３，図４は、本発明の実施例２に係る光ピックアップ装置におけるレーザーダイオードの取付構成を示す斜視図であり、図３は正面側より見た分解図、図４は背面側より見た分解図である。各図に示すように、略円柱状のレーザーダイオード１は、左右方向に延在する略直方体状のホルダー５中央に開けられた取付孔５ａに前方より圧入され、後ろ向きに即ち装置内へレーザー光を射出する方向に保持固定されている。ホルダー５の上下面中央には、それぞれ回動軸５ｂが突設しており、後述するように、これを中心として回動可能となっている。
【００２５】
ホルダー５の後方には、左右方向に延在する略長板状のプレート６が配設されており、その上下端より折り曲げ部６ａがそれぞれ前方に延びていて、側面視略コの字形状となっている。そして、各折り曲げ部６ａ中央には軸孔６ａａが開けられており、ここに前記ホルダー５の回動軸５ｂがそれぞれ嵌合して軸支されることにより、これを中心としてホルダー５が回動可能となる。さらに、プレート６の後面左右位置には、半円柱状の凸部６ｂが左右方向に延在して突設しており、これを中心としてプレート６が回動可能となる。ちなみにプレート６の中心には、レーザーダイオード１からのレーザー光が通過する中心孔６ｃが開けられている。
【００２６】
なお、プレート６の後面より突設する凸部６ｂはベース４の前面Ｆと線接触しており、左右方向（Ｘ軸方向）と上下方向（Ｙ軸方向）について、ＸＹ平面上のスライドが可能となっている。その他、レーザーダイオード１が固定されるホルダー５及び、光ピックアップ装置の複数の光学部品が取り付けられるベース４は、通常はダイキャスト等の成型品よりなる。但し、図３，図４では複数の光学部品は図示していない。また、ホルダー５が回動可能に取り付けられるプレート６は、通常はＳＵＳ等の板金加工品よりなる。
【００２７】
さて、レーザーダイオードの位置調整について述べると、平行移動調整については、プレート６がその後面より突設する凸部６ｂをベース４の前面Ｆに線接触させつつ、Ｘ軸方向及びＹ軸方向にスライドすることにより行われる。また、回転調整については、ホルダー５がその回動軸５ｂ（Ｙ軸）を中心としてθｙ方向に回動し、プレート６がその凸部６ｂ（Ｘ軸）を中心としてベース４の前面Ｆ上でθｘ方向に回動することにより行われる。但し、Ｘ軸方向とＹ軸方向が逆である構成であっても良い。このような位置調整は、図示しない調整治具を用いることにより行われ、調整後はホルダー５及びプレート６がベース４に対して接着により固定される。
【００２８】
なお、特許請求の範囲で言う第１の軸は、実施例におけるＹ軸に対応しており、第２の軸はＸ軸に対応している。また、第１の切り欠き部は切り欠き部３ａに対応しており、第２の切り欠き部は切り欠き部３ｂに対応している。
【図面の簡単な説明】
【００２９】
【図１】本発明の実施例１に係る光ピックアップ装置におけるレーザーダイオードの取付構成を示す斜視図（正面側より見た分解図）。
【図２】本発明の実施例１に係る光ピックアップ装置におけるレーザーダイオードの取付構成を示す斜視図（背面側より見た分解図）。
【図３】本発明の実施例２に係る光ピックアップ装置におけるレーザーダイオードの取付構成を示す斜視図（正面側より見た分解図）。
【図４】本発明の実施例２に係る光ピックアップ装置におけるレーザーダイオードの取付構成を示す斜視図（背面側より見た分解図）。
【図５】従来の光ピックアップ装置におけるレーザーダイオードの取付構成の一例を示す斜視図（正面側より見た組立図）。
【図６】従来の光ピックアップ装置におけるレーザーダイオードの取付構成の一例を示す斜視図（正面側より見た分解図）。
【図７】従来の光ピックアップ装置におけるレーザーダイオードの取付構成の一例を示す斜視図（背面側より見た組立図）。
【図８】従来の光ピックアップ装置におけるレーザーダイオードの取付構成の一例を示す斜視図（背面側より見た分解図）。
【符号の説明】
【００３０】
１    レーザーダイオード
２    ホルダー
２ａ    取付孔
２ｂ    凸部
３    プレート
３ａ，３ｂ    切り欠き部
３ｃ    中心孔
４    ベース
４ａ    凸部
５    ホルダー
５ａ    取付孔
５ｂ    回動軸
６    プレート
６ａ    折り曲げ部
６ａａ    軸孔
６ｂ    凸部
６ｃ    中心孔
Ｆ    前面
【図１】
2007134020.tif 000003
【図２】
2007134020.tif 000004
【図３】
2007134020.tif 000005
【図４】
2007134020.tif 000006
【図５】
2007134020.tif 000007
【図６】
2007134020.tif 000008
【図７】
2007134020.tif 000009
【図８】
2007134020.tif 000010